(57)【要約】【課題】  字幕表示文字数の多少に影響されることなく、映像に対応して字幕表示が更新されるワンセグ放送用の字幕送出装置および字幕送出方法を提供する。【解決手段】  ワンセグ字幕送出装置３は、変換、生成されたワンセグ字幕データのパケット数をサイズ判定部３２３が計数し、制御部３１１は計数された字幕データのパケット数が３である場合は、字幕重畳部３１３から出力される字幕データの出力タイミングに遅延時間を加えず、パケット数が２であれば０．５秒の遅延を、パケット数が１で在る場合には１秒の遅延となるように出力バッファ３２４の滞留時間を調整する様に制御してワンセグ受信器で受信される映像信号の遅延時間との間の遅延時間差をなくす。【選択図】  図３
2008085663.tif 000002
【特許請求の範囲】
【請求項１】
映像信号と、字幕データを多重して送出する地上波デジタル放送のワンセグ放送の字幕放送の字幕送出装置において、
字幕重畳手段へ出力する前記送出される字幕データを一時蓄積するバッファ手段と、
前記一時蓄積される字幕データのパケット数を計数して前記計数されたパケット数を出力するパケットサイズ判定手段と、
前記映像信号と、前記バッファから前記字幕データとが入力され、それらを重畳して放送電波の送信設備へ向けて出力する字幕重畳手段と、
前記出力されたパケット数を受信し、受信したパケット数に応じて前記バッファから前記字幕重畳手段へ出力する遅延時間を調整して出力する制御手段とを備える
ことを特徴とする字幕送出装置。
【請求項２】
前記遅延時間は、
ワンセグ放送の放送電波で伝送される字幕データの伝送時間を元に調整される
ことを特徴とする請求項１記載の字幕送出装置。
【請求項３】
前記遅延時間は、
前記パケット数が１の場合に最大、
前記パケット数が２の場合に中程度、
前記パケット数が３の場合に最小に調整される
ことを特徴とする請求項１記載の字幕送出装置。
【請求項４】
前記字幕送出装置は、更に、字幕抽出装置を備え、
ＨＤ放送、ＳＤ放送、またはアナログ放送の字幕データが多重された放送信号が入力された場合、入力された放送信号から字幕データを抽出し、字幕データと映像信号に分離して分離された前記字幕信号を前記バッファ手段へ出力し、分離された前記映像信号を前記字幕重畳手段へ出力することを特徴とする請求項１記載の字幕送出装置。
【請求項５】
映像信号と、字幕データを多重して送出する地上波デジタル放送のワンセグ放送の字幕放送の字幕送出装置の字幕送出方法において、
前記字幕送出装置は、バッファ手段と、パケットサイズ判定手段と、字幕重畳手段と、制御手段とを備え、
前記バッファ手段は、前記字幕重畳手段へ出力する前記送出される字幕データを一時蓄積し、
パケットサイズ判定手段は、前記一時蓄積される字幕データのパケット数を計数して前記計数されたパケット数を前記制御手段へ出力し、
前記映像信号と、前記バッファ手段から前記字幕データとが入力される前記字幕重畳手段は、それらを重畳して放送電波の送信設備へ向けて出力し、
前記出力されたパケット数を受信する前記制御手段は、受信したパケット数に応じて前記バッファが前記一時蓄積した前記字幕データを前記字幕重畳手段へ出力するタイミングを調整して遅延時間を与えて前記送信設備に向けて出力する制御を行う
ことを特徴とする字幕送出方法。
【請求項６】
前記遅延時間は、
ワンセグ放送の放送電波で伝送される字幕データの伝送時間を元に調整されることを特徴とする請求項５記載の字幕送出方法。
【請求項７】
前記遅延時間は、
前記パケット数が１の場合に最大、
前記パケット数が２の場合に中程度、
前記パケット数が３の場合に最小に調整されることを特徴とする請求項５記載の字幕送出方法。
【発明の詳細な説明】
【技術分野】
【０００１】
本発明は、デジタル地上放送のワンセグ放送の字幕送出装置および字幕送出方法に関する。
【背景技術】
【０００２】
地上デジタルテレビジョン放送の開始に伴って、携帯電話で放送画面を視聴する通称、ワンセグ放送が開始されている。ワンセグ放送では、デジタル放送の特徴を活かした字幕放送も行われ、ワンセグ字幕放送では、番組の映像画面とそれに合わせた文字画面がディスプレイ上に表示される。
【０００３】
図７は、従来のワンセグ字幕放送システムの構成を示す系統図である。以下、図７によりワンセグ放送システムの字幕データの処理方法についての概要を説明する。  
図７において、ワンセグ放送システムは、地上波ＨＤ放送システムに併設され、サイマル放送を行う場合を説明する。送信側の機材として、マスタ装置１、ＶＡＮＣ字幕装置２、ワンセグ字幕送出装置３００、ダウンコンバータ（以下Ｄ／Ｃと記す。）４、Ｈ２６４符号化装置（以下Ｈ２６４ＥＮＣと記す。）５、送信設備６と受信側の機材としてワンセグ受信器７を備え、ＨＤ放送システムとして、地上波ＨＤ放送のＨＤ符号化器Ｈ５、送信設備Ｈ６、受信器Ｈ７が備えられている。また、以上のマスタ装置１〜送信設備６の各装置が共通のタイミングで動作をするための時刻情報参照装置として局内時計８があり、図示されないネットワークで時刻情報が各装置へ伝えられるか、又は、各装置の内部時計（図示せず。）と所定の時刻校正が行われている。
【０００４】
通常の地上放送は、ＨＤ放送の番組を送出するマスタ装置１から出力される番組信号を受信して、所定のＨＤ放送の字幕情報がＶＡＮＣ字幕装置２によって、ＨＤ放送のビデオ信号に多重されたＴＳ（Ｔｒａｎｓｐｏｒｔ  Ｓｔｒｅａｍ）信号が生成される。そしてＶＡＮＣ字幕装置２からのＴＳ信号出力がＨＤ符号化器Ｈ５へ入力され、字幕データが多重された番組（ＴＳ）信号がＨＤ信号にデジタル符号化された後、図示されない送信器等を備える送信設備Ｈ６から放送電波が送信される。受信器Ｈ７は、放送電波を受信し復号し、映像信号と共にデジタルデータとして受信した字幕情報を画面に表示する。
【０００５】
これらのシステム動作や処理手順は、標準規格である「ＡＲＩＢ  ＴＲ−Ｂ１４地上テレビジョン放送運用規定」、および、「ＡＲＩＢ  ＳＴＤ−Ｂ３７補助データパケット形式で伝送されるデジタル字幕データの構造と運用」とによって規定されている。
【０００６】
ワンセグ放送でもサイマル放送として、同様にＨＤ放送信号の映像と同じ番組の映像信号にワンセグ放送用として準備される字幕データが多重されて送信される。例えば、携帯電話端末を利用したワンセグ受信器７で、Ｈ２６４符号化データが内部の復号器（図示せず）で復号され、モニタ画面では字幕情報が映像と共に画面表示される。
【０００７】
図７に戻り、ワンセグ字幕放送では、ＨＤ、ＳＤ、アナログの地上波放送の字幕放送の番組信号を出力するＶＡＮＣ字幕装置２の出力信号がワンセグ字幕送出装置３００に入力される。ワンセグ字幕送出装置３００は、入力されるＨＤ放送のＴＳ信号の文字情報を携帯電話端末の画面に適した字幕データに変換したＰＥＳ（Ｐａｃｋｅｔｉｚｅｄ  Ｅｌｅｍｅｎｔａｒｙ  Ｓｔｒｅａｍ）信号を重畳した番組信号に変換して出力する。
【０００８】
変換出力された番組信号は、さらにＤ／Ｃ４でワンセグ放送用のＨ２６４符号化装置５との入力条件に適合するようダウンコンパートされる。そして、ダウンコンバートされた信号は、Ｈ２６４符号化装置５へ入力され、字幕データと映像情報とを含む放送信号に符号化される。符号化されたワンセグ放送信号は、送信設備６から放送電波に変換されてワンセグ受信器７（携帯端末）で受信される。
【０００９】
ワンセグ放送では、アナログ地上波放送と異なり字幕（文字）重畳映像は映像信号に、重畳するように挿入されない。そして、字幕データのパケット（ＰＥＳ）は、映像信号チャネルとは別の字幕データチャネルで伝送される。受信した映像情報と字幕データとの表示は同期しなければならないので、受信側で電波伝播途中のエラーによって発生した映像信号の遅延と字幕データとの同期ずれを救済する同期方法が提案されている（例えば、特許文献１。）。
【００１０】
しかし、後述の様に字幕データと映像信号の間では符号化、復号処理による遅延時間差があるので、送信側で２者間でのタイミング調整を取らねばならない。即ち、Ｈ２６４符号化装置５に入力された映像信号は、符号化処理、および送出設備６から送信され、受信器７で復号されるまでに符号化処理によって概ね２１００ｍｓｅｃほどの遅延時間が発生する一方、字幕データは、Ｈ２６４符号化装置から受信器７で復号されるまでに、約０．５秒程度の遅延時間が発生するので、１．５秒間ほど遅延時間差が生じる。
【００１１】
この字幕と映像が対応して表示されるよう、字幕放送信号には、シーン（画面、フレーム等）毎に対応する映像信号、音声、字幕の間のタイミング調整を行うためにデータＰＴＳ（Ｐｒｅｓｅｎｔａｔｉｏｎ  Ｔｉｍｅ  Ｓｔａｍｐ）が用いられる。そして、ＰＴＳには、この対応をとるための識別情報が、ＡＲＩＢ  ＳＴＤ―Ｂ３７の「字幕補助データパケットの配列と構成」の規定に従って付加されている。
【００１２】
詳細説明は省略するが、識別情報について模式的に説明すれば、例えば、ある特定のシーン（例えば、シーン「１」、それに続くシーン「２」とする。）に対して、映像信号、音声信号、字幕データのパケットに、それぞれ、識別情報として、シーン「１」についてＰＴＳ−Ｖ１、ＰＴＳ−Ａ１、ＰＴＳ−Ｃ１、シーン「２」には、ＰＴＳ−Ｖ２、ＰＴＳ−Ａ２、ＰＴＳ−Ｃ２が付与されるとする。受信側では、各シーンに対応して、各信号の識別情報の添字「１」、「２」が組になるように各信号が揃って出力され、モニタ等に表示される。
【００１３】
本来、ワンセグ受信器７では、字幕データが出力可能となるまでの遅延時間が、映像信号の遅延時間よりも小さいので、字幕データは、字幕データ用のバッファ等で保持され、映像信号が映像信号のバッファに入力されるまで待機してから出力される。
【００１４】
しかし、後述する如く、最初に送信された字幕データ（ＰＴＳ―Ｃ１）が待機中、字幕データ（ＰＴＳ―Ｃ１）に対応する映像情報がモニタに表示される前に、次の字幕データ（ＰＴＳ−Ｃ２）がワンセグ受信器７のバッファに入力された場合、字幕データ（ＰＴＳ―Ｃ１）は、次のシーンに表示される字幕データ（ＰＴＳ−Ｃ２）により上書きされる。
【００１５】
その結果、映像信号ＰＴＳ−Ｖ１がモニタに表示されたとしても、それに対応する字幕データＰＴＳ−Ｃ１は上書きされてバッファに保存されていないので字幕のないシーンとなる。特に、字幕の書き変え間隔が、映像信号の遅延時間よりも短い場合に上書きが生じることになる。（もし、その上書きされた字幕をモニタに、字幕と映像の識別情報が一致しないまま表示した場合は、シーンと字幕が揃わなくなる。）。
【００１６】
図８、図９は、字幕情報と、映像の対応例を示す図である。  
図８は、映像と画面が正しく対応して表示されている場合で図８（ａ）〜（ｃ）に対応する字幕情報が正しく表示されている。しかし、図９は、図９（ｂ）で表示されるべき字幕を表示する前に、次の字幕データが入力されて表示されてしまった場合の画面表示例である。
【００１７】
この様に、ワンセグ受信器７でモニタ画面上に表示される映像画面と字幕とが対応出来る様に、符号化処理を行うＨ２６４符号化装置５から出力される字幕放送信号には、ＰＴＳ情報が付加され、ワンセグ受信器７は、タイミング処理用のＰＣＲ（Ｐｒｏｇｒａｍ  Ｃｌｏｃｋ  Ｒｅｆｅｒｅｎｃｅ）に合わせて、このＰＴＳ情報を参照し、映像（および、音声）と字幕情報に付与されるＰＴＳが一致すると、復号化された映像と字幕情報が揃ってモニタ画面に表示される。
【００１８】
従来は、字幕データが、字幕データのＰＥＳ（Ｐａｋｅｔｉｚｅｄ  Ｅｌｅｍｅｎｔａｒｙ  Ｓｔｒｅａｍ）の最小送出間隔を１秒とする補正をことにより字幕データと映像信号との遅延時間差を少なくすることにより、上書きを防ぐ方法がとられている。
【００１９】
しかし、この方法では、字幕データの文字数に拘わらず遅延時間は、固定されている。一方、字幕情報は、１秒間に最大２パケット分の文字情報しか送信出来ないので文字数が多くなると、字幕送信に時間がかかるので受信器７では実効的には映像信号との間の遅延時間差が小さくなり、例えば、規定の最大数である３パケットになると遅延時間差は殆ど無くなる。
【００２０】
その結果、従来の固定１秒を持たせる方法では、待機時間に遅延時間１秒が加わるので、字幕更新タイミングは、モニタに映像表示されるタイミングより字幕が遅れて表示されたりすることとなって字幕と映像表示が不自然になる問題が有った。
【特許文献１】特開２００４−１４０５０４号公報  （第３１頁、第６図）
【発明の開示】
【発明が解決しようとする課題】
【００２１】
ワンセグ放送で、従来の字幕と映像を一致させるために１秒間の固定遅延を字幕データに与えて送出する放送では、受信器側で表示される画面では字幕データ数によって字幕更新タイミングが映像と同期せず、不自然となる問題が有った。
【００２２】
本発明は上記問題を解決するためになされたもので、字幕データ数の多少に影響されることなく、映像と字幕表示が揃ったタイミングで更新されるワンセグ放送用の字幕送出装置および字幕送出方法を提供することを目的とする。
【課題を解決するための手段】
【００２３】
上記目的を達成するために、本発明の字幕送出装置は、映像信号と、字幕データを多重して送出する地上波デジタル放送のワンセグ放送の字幕放送の字幕送出装置において、字幕重畳手段へ出力する前記送出される字幕データを一時蓄積するバッファ手段と、前記一時蓄積される字幕データのパケット数を計数して前記計数されたパケット数を出力するパケットサイズ判定手段と、前記映像信号と、前記バッファから前記字幕データとが入力され、それらを重畳して放送電波の送信設備へ向けて出力する字幕重畳手段と、前記出力されたパケット数を受信し、受信したパケット数に応じて前記バッファから前記字幕重畳手段へ出力する遅延時間を調整して出力する制御手段とを備えることを特徴とする字幕送出装置。
【００２４】
また、本発明の字幕送出装置の字幕送出方法は、映像信号と、字幕データを多重して送出する地上波デジタル放送のワンセグ放送の字幕放送の字幕送出装置の字幕送出方法において、前記字幕送出装置は、バッファ手段と、パケットサイズ判定手段と、字幕重畳手段と、制御手段とを備え、前記バッファ手段は、前記字幕重畳手段へ出力する前記送出される字幕データを一時蓄積し、パケットサイズ判定手段は、前記一時蓄積される字幕データのパケット数を計数して前記計数されたパケット数を前記制御手段へ出力し、前記映像信号と、前記バッファ手段から前記字幕データとが入力される前記字幕重畳手段は、それらを重畳して放送電波の送信設備へ向けて出力し、前記出力されたパケット数を受信する前記制御手段は、受信したパケット数に応じて前記バッファが前記一時蓄積した前記字幕データを前記字幕重畳手段へ出力するタイミングを調整して遅延時間を与えて前記送信設備に向けて出力する制御を行うことを特徴とする。
【発明の効果】
【００２５】
本発明によれば、字幕データ数の多少に影響されることなく、映像と字幕表示が揃ったタイミングで更新されるワンセグ放送用の字幕送出装置および字幕送出方法を提供することができる。
【発明を実施するための最良の形態】
【００２６】
以下、図面を参照して本発明の実施例を説明する。
【実施例】
【００２７】
図１は、本発明の実施例に関わるワンセグ字幕送出装置を用いたワンセグ字幕放送システムの構成を示す系統図である。  
図１において、ワンセグ放送システムは、地上波ＨＤ放送システムに併設され、サイマル放送を行う場合を説明する。送信側の機材として、マスタ装置１、ＶＡＮＣ字幕装置２、本発明のワンセグ字幕送出装置３、ダウンコンバータ（以下Ｄ／Ｃと記す。）４、Ｈ２６４符号化装置（以下、Ｈ２６４ＥＮＣと省略する。）５、送信設備６と受信側の機材としてワンセグ受信器７を備え、ＨＤ放送システムとして、ＨＤ放送のＨＤ符号化器Ｈ５、送信設備Ｈ６、受信器Ｈ７が備えられている。
【００２８】
なお、ここでは、ＨＤ字幕放送信号からワンセグ放送の放送電波を作成する場合を例に動作説明をするが、ＳＤ字幕、または、アナログ字幕放送信号からワンセグ放送の放送電波を作成する場合であってもその作成に関わる基本動作は同様である。
【００２９】
また、以上のマスタ装置１〜送信設備６の各装置が共通のタイミングで動作をするための時刻情報参照装置として局内時計８があり、図示されないネットワークで時刻情報が各装置へ伝えられるか、又は、各装置の内部時計（図示せず。）と所定の時刻で校正が行われる。
【００３０】
図１のワンセグ放送システムは、図７に示されるワンセグ字幕送出装置３００と動作が異なるワンセグ字幕送出装置３が用いられている以外、基本的には図７に示されるワンセグ放送システムと同様の動作を行う。以下、図７と共通な事項は説明を省略し、本発明の実施例のワンセグ放送システムの字幕データの処理方法についての概要を説明する。
【００３１】
図２は、ワンセグ受信器７の動作を説明する機能ブロック図である。  
図２において、ワンセグ受信器７は、それぞれの間が、内部バス等で接続されているＲＦ処理部７１、検波復調部７２、受信バッファ部７３、出力部７４、監視制御部７５、入力設定部７６を備え、受信する放送電波をモニタ（ディスプレイ）やスピーカに出力する。
【００３２】
ＲＦ処理部７１は、図示されないアンテナから受信した放送電波を増幅し中間周波数に変換して検波復調部７２へ出力する。検波復調部７２は、入力された放送電波の中間周波信号をベースバンドの放送信号に検波復調し、字幕データ、映像信号のパケット、音声信号のパケットにして例えば、内部バスを介して受信バッファ部７３へ出力する。
【００３３】
そこから出力されるパケットは、ＡＲＩＢ規定によるワンセグ放送のデータパケットであり、受信バッファ部７３は、それらのパケットを字幕バッファ７３１、映像バッファ７３２、音声バッファ７３３にバッファする。
【００３４】
出力部７４は、Ｈ２６４復号出力インタフェースを含み、制御監視部７５の制御に従ってバッファ部７４から入力されるデータを、ビデオ出力部７４１と音声出力部７４２がそれぞれモニタやスピーカに、字幕と映像が表示された画面情報、音声信号にして出力する。
【００３５】
監視制御部７５は、内部バスを介してＲＦ処理部７１〜受信バッファ部７３、受信チャネル等の条件が設定される入力部７５の各動作や設定を監視、判読する。そして、例えば、映像と字幕が同期してモニタに表示する様に字幕バッファ７３１と映像バッファ７３２からそれぞれ対応する字幕データと、映像パケットとをタイミング調整して出力部７４へ出力する制御を行うことにより所要の受信チャネルが視聴出来るようにする。
【００３６】
今、１つのシーン（例えば、Ａシーン）を構成する連続した画面（映像）、音声、およびこれらのシーン映像を背景に表示される字幕（例えば、２ページに亘って表示されるとする。）の表示処理の動作タイミング調整について簡略に説明する。
【００３７】
今、Ａシーンでは１、２ページの各背景画面（Ａ１、Ａ２）が表示されるので、１ページ目、２ページ目の背景となる映像信号（複数フレーム）と、音声信号、字幕データには、簡単にいえば、上述のＰＴＳとして、それぞれ、Ａ１、Ａ２という識別情報が、マスタ装置１から出力される放送信号に付与されている。そして、ＶＡＮＣ字幕装置２、ワンセグ字幕送出装置３でもこれらが対応するようパケット送出処理が行われる。
【００３８】
ワンセグ受信器７が受信した各信号と字幕データは、上記の各バッファ７３１〜７３３に入力、蓄積されるが、各バッファに入力されるパケットのＰＴＳの各識別情報を照合対比し、上記のＡ１、Ａ２が一致して対応するようにパケットのＰＴＳを同じに合わせて順番に出力することにより再生したシーン画面にすれば良い。
【００３９】
映像信号のパケットは、もっとも高速な繰り返しのサイクルで送信されるデータであるので、ワンセグ受信器７は、この映像信号のパケットを上記のＰＣＲ（同期情報）としても利用する。言い換えれば、映像信号のＰＴＳを、ＰＣＲの同期タイミングとしても利用する。
【００４０】
字幕情報を映像と同期して表示するには、受信して検波復調された信号から、例えば、識別情報Ａ１が付与された字幕データ（例えば、ＰＴＳ−ＣＡ１が識別情報として付与されたとする。）を、映像信号の入力に先駆けて字幕バッファ７３１に蓄積する。
【００４１】
監視制御部７５は、それに続いて、入力される映像信号のＰＴＳを監視し、識別情報としてＰＴＳ−ＶＡ１が付与された映像信号のパケットが映像バッファ７３２に入力されたら、直ちにこの映像信号と字幕データを両バッファ７３１，７３２、および音声バッファ７３３から取り出して出力部７４から出力するように制御する。そして、識別情報が「Ａ１」で統一された映像、音声、字幕が対応して出力、表示される。
【００４２】
さて、図１に戻り、通常のワンセグ放送を行う手順について概要を説明する。
【００４３】
字幕多重放送は、ＶＡＮＣ字幕装置２によりＨＤの映像信号に字幕データが重畳されたＨＤ字幕放送信号が作成される。この時点で、映像と、字幕が対応するようにするため、ＡＲＩＢ  ＳＴＤ―Ｂ３７に「字幕データパケット配列と内部構成」中に説明されている、ＰＴＳが付加される。そしてそのＨＤ字幕放送信号は、ワンセグ放送の字幕重畳を行うために、ワンセグ字幕送出装置３へ入力される。
【００４４】
図３は、ワンセグ字幕送出装置３の動作を説明する機能ブロック図である。  
図３において、ワンセグ字幕送出装置３は、字幕放送データを入出力するためのインタフェース部３１とＨＤ字幕データをワンセグ放送の字幕データに変換する変換部３２とを有している。
【００４５】
インタフェース部３１は、制御部３１１、ＶＡＮＣ字幕抽出部３１２、ＶＡＮＣ字幕重畳部３１３を備え、また変換部３２は、変換テーブル３２１、ＨＤ−ワンセグ字幕データ変換部３２２、サイズ判定部３２３、出力バッファ３２４を備え、これら各構成は、内部バス等によってそれぞれの間が接続されている。なお、細部の上記各構成は、上記の区分に配置に限定されるものではなくインタフェース部３１と変換部３２の内部に適宜配置されて良い。
【００４６】
ＶＡＮＣ字幕抽出部３１１は、ＶＡＮＣ字幕装置２から入力されるＨＤ字幕放送信号から字幕データ（ここではＨＤ字幕データ）を抽出し、内部バスを介してＨＤ−ワンセグ字幕データ変換部３２２へ出力する。また、映像信号は、ＶＡＮＣ字幕重畳部３１３へ出力される。なお、入力されるＨＤ字幕放送信号がアナログ信号で有れば、デジタル変換手段を備えておき（図示せず）、入力信号をデジタル変換し、その変換されたデジタルデータを同様に処理するものであっても良い。
【００４７】
なお、以下では、内部バスを監視する制御部３１１によって、ＶＡＮＣ字幕装置２から入力される各信号、字幕データのＰＴＳを読み取り、各信号や字幕データが対応するように信号処理されている。
【００４８】
ＨＤ−ワンセグ字幕データ変換部３２２は、入力されたＨＤ字幕データを、ワンセグ字幕データへ変換する方法が設定記憶されている変換テーブル３２１と参照することにより、字幕データ数の少ないワンセグ字幕データに変換し、バッファ部３２４へ出力する。
【００４９】
サイズ判定部３２３は、この変換されたワンセグ字幕データのデータサイズをカウントし、字幕データサイズに応じてＡＲＩＢ規定のパケット数を求め、内部バスを介し制御部３１１へ通知する。制御部３１１は、このパケット数に応じて、出力バッファ３２４からワンセグ字幕データを取り出してＶＡＮＣ字幕重畳部３１３へ入力する。ＶＡＮＣ字幕重畳部３１３は、ＶＡＮＣ字幕抽出部から入力される映像信号にＨＤ、ＳＤ、アナログの各字幕データにワンセグ字幕データを更に追加した各種のＶＡＮＣ字幕放送信号を生成する。そして、ワンセグ字幕データが重畳されたワンセグ放送用のＶＡＮＣ字幕信号をＤ／Ｃ４を介してＨ２４６符号化装置５へ向けて出力する。なお、以下では、特に断らない限りワンセグ字幕データを字幕データと省略して説明する。
【００５０】
従来は、図３における制御部３１１はＶＡＮＣ字幕重畳部３１３から出力されるＶＡＮＣ字幕放送信号の字幕データの出力タイミングを１秒遅らせ、ＶＡＮＣ字幕重畳部３１３から出力させ、ワンセグ受信器７で字幕データが上書きされるのを防いでいた。
【００５１】
図４、図５は、ワンセグ受信器７における字幕と映像の表示タイミング（字幕データ遅延なし、あり）を示す説明図である。  
図４、図５において、１パケットサイズの字幕データが１５００ｍｓ間隔で更新される場合を例に説明する。図４、図５の（ａ）、（ｂ）は、それぞれ図７におけるワンセグ字幕送出装置３００への字幕データの入力、出力タイミングである。
【００５２】
図４、図５の（ｃ）は、Ｄ／Ｃ４を経て、Ｈ２６４ＥＮＣ５へ入力するタイミング、図４、図５の（ｄ）は、Ｈ２６４ＥＮＣ５での符号化、および送信設備６を介してからワンセグ受信器７で字幕データがバッファされるまでのタイミングが示されている。
【００５３】
図４において、Ｎ−１ページの字幕データｘ（ＰＴＳ−ｃ１）は、ワンセグ字幕送出装置３に入力されたタイミングｔ０から処理時間１００ｍｓｅｃ後のタイミングｔ１に字幕データがＤ／Ｃを介してＨ２６４ＥＮＣ５へ向けて出力される。Ｄ／Ｃ４でも同様に２００ｍｓｅｃの処理時間を経てタイミングｔ２に字幕データｘ（ＰＴＳ−ｃ１）がＨ２６４ＥＮＣ５へ入力される。
【００５４】
そして、そこでＨ２６４符号化され更に、送信設備６を経て送信された放送電波がワンセグ受信器７で受信される。その結果、字幕データｙ（ＰＴＳ−ｃ１）は、タイミングｔ０から４００ｍｓｅｃ後のタイミングｔ３に復号化されて字幕バッファ７３２で待機する状態となる。
【００５５】
一方、映像信号ｎ−１（ＰＴＳ−Ｖ１）は、ワンセグ字幕送出装置３に入力されてから、ワンセグ受信器７で復号化され映像バッファ７３２に入力されるタイミングｔｐまでに２１００ｍｓｅｃかかる。
【００５６】
ところで、Ｎページの字幕データｙ（ＰＴＳ−ｃ２）も、Ｎ−１ページの字幕データｘ（ＰＴＳ−ｃ１）出力後、１５００ｍｓｅｃ経過したタイミングでワンセグ字幕送出装置３００へ入力される。そして各装置で、同様にタイミングｔｎ０〜タイミングｔｎ３で出力、又は入力されてワンセグ受信器７の字幕バッファに７３２へ入力される。
【００５７】
図４から分かるようにＮ−１ページの映像ｎ−１（ＰＴＳ−Ｖ１）が表示される、言い換えると映像バッファ７３２に映像信号が入力されるタイミングｔｐには、字幕バッファ７３１に在るＮ−１ページの字幕データｘ（ＰＴＳ−Ｖ１）は、タイミングｔｐよりも２００ｍｓｅｃ前のタイミングｔｎ３で字幕バッファ７３１へ入力されるＮページの字幕データｙ（ＰＴＳ−ｃ２）によって上書きされてしまい、このままでは、入力される映像信号と字幕データのＰＴＳの識別情報の番号とが「１」と「２」と異なってしまう。
【００５８】
図５は、この問題を改善するための従来のワンセグ字幕送出装置３００へ入力される字幕データに変換にかかる時間に更に１秒（１０００ｍｓｅｃ）間の遅延時間を与えてから出力する処理手順を示す。この場合、図７のワンセグ字幕送出装置３００は、ワンセグ字幕データを生成後、１秒間、例えば、字幕バッファ７３１に滞留させてからタイミングｔ２ｄ（タイミングｔ０から１２００ｍｓｅｃ後）に出力している。
【００５９】
その結果、ワンセグ字幕送出装置３００から、Ｄ／Ｃ４を経てＨ２６４符号化装置へ入力されるＮ−１ページの字幕データＸ（ＰＴＳ―Ｃ１）は、ワンセグ字幕送出装置３００入力後のタイミングｔ３ｄに１４００ｍｓｅｃ経って出力される。そして、Ｎ−１ページの映像信号ｎ−１（ＰＴＳ−Ｖ１）が映像バッファ７３２に入力されるタイミングｔｐまで７００ｍｓｅｃの余裕を持ってワンセグ受信器７の字幕バッファに７３１で待機する。
【００６０】
一方、Ｎページ目の字幕データＹ（ＰＴＳ−Ｃ２）は、タイミングｔ０から２９００ｍｓｅｃ後のタイミングｔｎ３ｄにワンセグ受信器７で字幕信号に復元されるので、Ｎ−１ページの映像信号ｎ−１（ＰＴＳ−Ｖ１）が表示される前にＮ−１ページの字幕データＸ（ＰＴＳ―Ｃ１）を上書きすることは無くなる。
【００６１】
さて、字幕データが、１パケットの場合、上記の遅延時間１０００ｍｓｅｃを付加することにより、字幕と映像との表示は、タイミングが一致するようになる。しかし、ワンセグ放送の電波伝搬では、字幕データは、１秒間に２パケットが送信設備６とワンセグ受信器７との間の最大伝送速度であるため、字幕データが３パケット構成になると、字幕データは、更に１秒間遅れてワンセグ受信器へ入力されることになる。
【００６２】
その場合、字幕データの上書きは生じないが、映像が変わっても未だに１つ前の映像画面に対する字幕が表示され、従来の改善手段では不自然な字幕表示となってしまう問題がある。
【００６３】
ここで図１に戻る。本発明の実施例のワンセグ字幕送出装置３では、変換されたワンセグ字幕データの字幕パケット数を計数し、３パケット（以上）の場合は、遅延を与えず、１パケットの場合は、遅延を与えるようにする。即ち、パケット数に応じて遅延時間を変化させることにより、字幕と映像の整合に違和感が起きないようにするものである。
【００６４】
図６は、本発明の実施例におけるワンセグ字幕送出装置５の字幕送出タイミングの処理手順を説明するフローチャートである。  
以下、図６と図３を参照して、字幕送出タイミングの処理手順を説明する。図３において、ＶＡＮＣ字幕装置２から入力される字幕データは、前述の如く出力バッファ３２４に一時蓄積されると共に、サイズ判定部３２３でパケットサイズが判定され、内部バスを介して制御部３１１に当該字幕データのパケット数が入力される（図６のステップｓ１）。
【００６５】
制御部３１１は、このパケット数が１（図６のステップｓ２が１）の場合、その字幕データのパケットがＶＡＮＣ字幕抽出部３１２に入力後、例えば、従来と同様にＶＡＮＣ字幕重畳部３１３から１秒間（１０００ｍｓｅｃ）遅延して出力するよう出力バッファ３２４での滞留時間を調整してから出力する制御を行う（ステップｓ３）。
【００６６】
また、パケット数が２（図６のステップｓ２が２）の場合、放送電波が字幕２パケットを送信するのに必要な時間を差し引いた遅延時間として補正し、例えば、０．５秒を遅延時間とするように出力バッファ３２４での滞留時間を調整してから出力する制御を行う（ステップｓ４）。
【００６７】
そして、前述の様にパケット数が最大許容数の３パケット（図６のステップｓ２が３）の場合、字幕データの放送電波がワンセグ受信器７で復調されて出力バッファ３２４に蓄積されるまでに上書きを防ぐのに十分な時間を消費している。従って制御部３１１は、遅延時間を与えないか、最小の調整時間（もしくは処理時間）として、例えば、０．１秒を遅延時間とするように出力バッファ３２４での滞留時間を調整してから出力する制御を行う（ステップｓ５）。
【００６８】
この様にすれば、ワンセグ受信器７には手を加えること無く字幕データのパケット数の多少に関わらず映像と字幕が揃ったタイミングで表示出来るようになる。
【００６９】
また、上記説明では、ＨＤ放送を例に、ワンセグ放送の字幕送出方法を説明したが、ＳＤ放送、アナログ放送の場合も同様である。その場合、放送種類や装置名でのＨＤをそれぞれＳＤ、アナログに読み替えれば良い。
【００７０】
なお、上記説明は、地上波放送の放送信号を利用したサイマル放送におけるワンセグ放送での字幕送出の方法を例に説明したが、ワンセグ放送専用の映像信号と、字幕データを送出コンテンツとして字幕放送をおこなう場合にも同様に、映像信号と字幕データとの間で字幕データの遅延時間を調整するものであっても良い。この場合、図３におけるワンセグ字幕送出装置３には、ＶＡＮＣ字幕装置２の代わりに直接映像信号と字幕データとが入力され、字幕送出装置３の字幕抽出部３１２をバイパスしてＶＡＮＣ字幕重畳部３１３へ映像信号が入力される。また、字幕データは、ＨＤ−ワンセグ字幕データ変換部３２２をバイパスし、直接、サイズ判定部３２３と出力バッファ３２４とへ入力されるようにすればよい。
【図面の簡単な説明】
【００７１】
【図１】本発明の実施例に係わるワンセグ字幕放送システムの構成を示す系統図。
【図２】ワンセグ受信器の機能構成を説明するブロック図。
【図３】本発明の実施例に係わるワンセグ字幕送出装置の機能を説明する機能ブロック図。
【図４】ワンセグ受信器における字幕と映像の表示タイミング（字幕データ遅延なし）の説明図。
【図５】ワンセグ受信器における字幕と映像の表示タイミング（字幕データ遅延あり）の説明図。
【図６】本発明の実施例におけるワンセグ字幕送出装置の字幕送出タイミングの処理手順を説明するフローチャート。
【図７】従来のワンセグ字幕放送システムの構成を示す系統図。
【図８】字幕と、映像が正しく対応して表示される例を示す図。
【図９】字幕と、映像が正しく対応せずに表示される例を示す図。
【符号の説明】
【００７２】
１  マスタ装置
２  ＶＡＮＣ字幕装置
３、３００  ワンセグ字幕送出装置
３１  インタフェース部
３１１  制御部
３１２  ＶＡＮＣ字幕抽出部
３１３  ＶＡＮＣ字幕重畳部
３２  変換部
３２１  変換テーブル
３２２  ＨＤ−ワンセグ字幕データ変換部
３２３  サイズ判定部
３２４  出力バッファ
４  ダウンコンバータ（Ｄ／Ｃ）
５  Ｈ２６４エンコーダ（Ｈ２６４ＥＮＣ）
６  送信設備
７  ワンセグ受信器
Ｈ５  ＨＤ符号化器
Ｈ６  送信設備
Ｈ７  受信器Ｈ７
【図１】
2008085663.tif 000003
【図２】
2008085663.tif 000004
【図３】
2008085663.tif 000005
【図４】
2008085663.tif 000006
【図５】
2008085663.tif 000007
【図６】
2008085663.tif 000008
【図７】
2008085663.tif 000009
【図８】
2008085663.tif 000010
【図９】
2008085663.tif 000011